(57)【要約】【課題】１台の装置に設定するだけで、当該設定が、当該装置にネットワークを介して接続された他の装置に反映されることができる画像形成システムを提供する。【解決手段】画像形成装置１０は、設定を記憶する設定情報記憶部３０２と、前記記憶されている設定を更新する更新部３０８と、前記更新された設定に基づいて動作確認を行う動作確認部３１０と、前記記憶されている設定に関する情報を送信する設定送信部３１２と、設定情報の送信を要求する設定要求部３１４と、情報を受信する受信部３１６と、前記動作確認が正常終了であった場合、前記設定送信部３１２が設定情報を送信し、前記動作確認が正常終了ではなかった場合、前記設定要求部３１４が設定情報の送信を要求するように制御し、前記受信された情報が設定情報である場合、前記更新部３０８が前記記憶されている設定を前記受信された設定に更新し、前記受信された情報が設定情報の送信の要求である場合、前記設定送信部３１２が設定情報を送信するように制御する制御部３０４とを有する。【選択図】図４
2009159048.tif 000002
【特許請求の範囲】
【請求項１】
接続されるネットワークに関する設定を記憶する設定記憶手段と、
前記設定記憶手段に記憶されている設定を更新する更新手段と、
前記更新手段により更新された設定に基づいて動作確認を行う動作確認手段と、
前記動作確認手段により動作確認された設定に関する情報を送信する送信手段と
を有する画像形成装置。
【請求項２】
前記送信手段は、他の画像形成装置に対して、設定に関する情報を送信する
請求項１に記載の画像形成装置。
【請求項３】
前記送信手段は、予め決められた送信先に対して、設定に関する情報を送信する
請求項１又は２に記載の画像形成装置。
【請求項４】
設定に関する情報の送信を要求する要求手段と、
前記動作確認手段による動作確認が正常終了であった場合、前記送信手段が設定に関する情報を送信し、前記動作確認手段による動作確認が正常終了ではなかった場合、前記要求手段が設定に関する情報の送信を要求するように制御する制御手段と
をさらに有する請求項１乃至３のいずれかに記載の画像形成装置。
【請求項５】
前記制御手段は、前記更新手段が前記設定記憶手段に記憶されている設定を前記要求手段による要求に応じて送信された設定に更新する
請求項４に記載の画像形成装置。
【請求項６】
接続されるネットワークに関する設定を記憶する設定記憶手段と、
情報を受信する受信手段と、
前記設定記憶手段に記憶されている設定を更新する更新手段と、
前記設定記憶手段に記憶されている設定に関する情報を送信する送信手段と、
前記受信手段により受信された情報が設定に関する情報である場合、前記更新手段が前記設定記憶手段に記憶されている設定を前記受信手段により受信された設定に更新し、前記受信手段により受信された情報が設定に関する情報の送信の要求である場合、前記送信手段が設定に関する情報を送信するように制御する制御手段と
を有する画像形成装置。
【請求項７】
前記受信手段は、更新前の設定に関する情報及び更新後の設定に関する情報を受信し、
前記制御手段は、前記受信手段により受信された更新前の設定と前記設定記憶手段に記憶されている設定とが一致する場合、前記更新手段が前記設定記憶手段に記憶されている設定を前記受信手段により受信された更新後の設定に更新するように制御する
請求項６に記載の画像形成装置。
【請求項８】
接続されるネットワークに関する設定を記憶する設定記憶手段と、
前記設定記憶手段に記憶されている設定を更新する更新手段と、
前記更新手段により更新された設定に基づいて動作確認を行う動作確認手段と、
前記設定記憶手段に記憶されている設定に関する情報を送信する送信手段と、
設定に関する情報の送信を要求する要求手段と、
情報を受信する受信手段と、
前記動作確認手段による動作確認が正常終了であった場合、前記送信手段が設定に関する情報を送信し、前記動作確認手段による動作確認が正常終了ではなかった場合、前記要求手段が設定に関する情報の送信を要求するように制御し、前記受信手段により受信された情報が設定に関する情報である場合、前記更新手段が前記設定記憶手段に記憶されている設定を前記受信手段により受信された設定に更新し、前記受信手段により受信された情報が設定に関する情報の送信の要求である場合、前記送信手段が設定に関する情報を送信するように制御する制御手段と
を有する画像形成装置。
【請求項９】
接続されるネットワークに関する設定を記憶する設定記憶手段と、
前記設定記憶手段に記憶されている設定を更新する更新手段と、
前記更新手段により更新された設定に基づいて動作確認を行う動作確認手段と、
前記設定記憶手段に記憶されている設定に関する情報を送信する送信手段と、
設定に関する情報の送信を要求する要求手段と、
前記動作確認手段による動作確認が正常終了であった場合、前記送信手段が設定に関する情報を送信し、前記動作確認手段による動作確認が正常終了ではなかった場合、前記要求手段が設定に関する情報の送信を要求するように制御する第１の制御手段と、
を有する第１の画像形成装置と、
前記設定記憶手段と、前記更新手段と、前記送信手段と、
前記第１の画像形成装置から送信された情報を受信する受信手段と、
前記受信手段により受信された情報が設定に関する情報である場合、前記更新手段が前記設定記憶手段に記憶されている設定を前記受信手段により受信された設定に更新し、前記受信手段により受信された情報が設定に関する情報の送信の要求である場合、前記送信手段が設定に関する情報を前記第１の画像形成装置に対して送信するように制御する第２の制御手段と、
を有する第２の画像形成装置と、
を有する画像形成システム。
【請求項１０】
コンピュータと、接続されるネットワークに関する設定を記憶する設定記憶手段とを有する画像形成装置において、
前記設定記憶手段に記憶されている設定を更新する更新ステップと、
前記更新された設定に基づいて動作確認を行う動作確認ステップと、
前記動作確認された設定に関する情報を送信する送信ステップと
を前記画像形成装置のコンピュータに実行させるプログラム。
【請求項１１】
コンピュータと、接続されるネットワークに関する設定を記憶する設定記憶手段とを有する画像形成装置において、
情報を受信する受信ステップと、
前記受信された情報が設定に関する情報である場合、前記設定記憶手段に記憶されている設定を前記受信された設定に更新し、前記受信された情報が設定に関する情報の送信の要求である場合、設定に関する情報を送信するように制御する制御ステップと
を前記画像形成装置のコンピュータに実行させるプログラム。
【発明の詳細な説明】
【技術分野】
【０００１】
本発明は、ネットワークを介してデータの通信を行う画像形成装置に関する。
【背景技術】
【０００２】
この種の画像形成装置には、ネットワークその他に関する情報が設定されている。このような設定は、画像形成装置に設けられたタッチパネル等の入力装置、又はネットワークを介して接続された端末装置の入力装置を用いて変更されることが多い。
【０００３】
特許文献１では、装置の設定情報が一元管理された管理ホストコンピュータから初期設定値を受信して設定することにより、初期設定の煩雑な手間を解消することができる情報処理システムが開示されている。
【０００４】
【特許文献１】特開２０００−１１２８６３号公報
【発明の開示】
【発明が解決しようとする課題】
【０００５】
しかしながら、特許文献１に開示された手法では、管理ホストコンピュータを事前に設置し、この管理ホストコンピュータとの通信経路を確保する必要がある。
【０００６】
本発明は、上述した背景からなされたものであり、１台の装置に設定するだけで、動作確認済みの設定が、当該装置にネットワークを介して接続された他の装置に反映されることができる画像形成システムを提供することを目的とする。
【課題を解決するための手段】
【０００７】
上記目的を達成するために、本発明に係る第１の画像形成装置は、接続されるネットワークに関する設定を記憶する記憶手段と、前記設定記憶手段に記憶されている設定を更新する更新手段と、前記更新手段により更新された設定に基づいて動作確認を行う動作確認手段と、前記動作確認手段により動作確認された設定に関する情報を送信する送信手段とを有する。本発明によれば、設定が変更されるだけで、動作確認済みの設定を、ネットワークを介して接続された他の装置に反映させることができる。
【０００８】
好適には、前記送信手段は、他の画像形成装置に対して、設定に関する情報を送信する。
【０００９】
好適には、前記送信手段は、予め決められた送信先に対して、設定に関する情報を送信する。
【００１０】
好適には、設定に関する情報の送信を要求する要求手段と、前記動作確認手段による動作確認が正常終了であった場合、前記送信手段が設定に関する情報を送信し、前記動作確認手段による動作確認が正常終了ではなかった場合、前記要求手段が設定に関する情報の送信を要求するように制御する制御手段とをさらに有する。本発明によれば、設定が誤って変更された場合においても、動作確認済みの設定を、ネットワークを介して取得することができる。
【００１１】
好適には、前記制御手段は、前記更新手段が前記設定記憶手段に記憶されている設定を前記要求手段による要求に応じて送信された設定に更新する。本発明によれば、設定が誤って変更された場合においても、当該設定が、動作確認済みの設定に修正されることができる。
【００１２】
本発明に係る第２の画像形成装置は、接続されるネットワークに関する設定を記憶する記憶手段と、情報を受信する受信手段と、前記設定記憶手段に記憶されている設定を更新する更新手段と、前記設定記憶手段に記憶されている設定に関する情報を送信する送信手段と、前記受信手段により受信された情報が設定に関する情報である場合、前記更新手段が前記設定記憶手段に記憶されている設定を前記受信手段により受信された設定に更新し、前記受信手段により受信された情報が設定に関する情報の送信の要求である場合、前記送信手段が設定に関する情報を送信するように制御する制御手段とを有する。本発明によれば、他の装置が設定されるだけで、動作確認済みの設定が、ネットワークを介して取得され、反映されることができる。
【００１３】
好適には、前記受信手段は、更新前の設定に関する情報及び更新後の設定に関する情報を受信し、前記制御手段は、前記受信手段により受信された更新前の設定と前記設定記憶手段に記憶されている設定とが一致する場合、前記更新手段が前記設定記憶手段に記憶されている設定を前記受信手段により受信された更新後の設定に更新するように制御する。
【００１４】
本発明に係る第３の画像形成装置は、接続されるネットワークに関する設定を記憶する記憶手段と、前記設定記憶手段に記憶されている設定を更新する更新手段と、前記更新手段により更新された設定に基づいて動作確認を行う動作確認手段と、前記設定記憶手段に記憶されている設定に関する情報を送信する送信手段と、設定に関する情報の送信を要求する要求手段と、情報を受信する受信手段と、前記動作確認手段による動作確認が正常終了であった場合、前記送信手段が設定に関する情報を送信し、前記動作確認手段による動作確認が正常終了ではなかった場合、前記要求手段が設定に関する情報の送信を要求するように制御し、前記受信手段により受信された情報が設定に関する情報である場合、前記更新手段が前記設定記憶手段に記憶されている設定を前記受信手段により受信された設定に更新し、前記受信手段により受信された情報が設定に関する情報の送信の要求である場合、前記送信手段が設定に関する情報を送信するように制御する制御手段とを有する。
【００１５】
本発明に係る画像形成システムは、接続されるネットワークに関する設定を記憶する記憶手段と、前記設定記憶手段に記憶されている設定を更新する更新手段と、前記更新手段により更新された設定に基づいて動作確認を行う動作確認手段と、前記設定記憶手段に記憶されている設定に関する情報を送信する送信手段と、設定に関する情報の送信を要求する要求手段と、前記動作確認手段による動作確認が正常終了であった場合、前記送信手段が設定に関する情報を送信し、前記動作確認手段による動作確認が正常終了ではなかった場合、前記要求手段が設定に関する情報の送信を要求するように制御する第１の制御手段と、を有する第１の画像形成装置と、前記設定記憶手段と、前記更新手段と、前記送信手段と、前記第１の画像形成装置から送信された情報を受信する受信手段と、前記受信手段により受信された情報が設定に関する情報である場合、前記更新手段が前記設定記憶手段に記憶されている設定を前記受信手段により受信された設定に更新し、前記受信手段により受信された情報が設定に関する情報の送信の要求である場合、前記送信手段が設定に関する情報を前記第１の画像形成装置に対して送信するように制御する第２の制御手段と、を有する第２の画像形成装置と、を有する。本発明によれば、１台の装置に設定するだけで、動作確認済みの設定が、当該装置にネットワークを介して接続された他の装置に反映されることができる。
【００１６】
本発明に係る第１のプログラムは、コンピュータと、接続されるネットワークに関する設定を記憶する記憶手段とを有する画像形成装置において、前記設定記憶手段に記憶されている設定を更新する更新ステップと、前記更新された設定に基づいて動作確認を行う動作確認ステップと、前記動作確認された設定に関する情報を送信する送信ステップとを前記画像形成装置のコンピュータに実行させる。
【００１７】
本発明に係る第２のプログラムは、コンピュータと、接続されるネットワークに関する設定を記憶する記憶手段とを有する画像形成装置において、情報を受信する受信ステップと、前記受信された情報が設定に関する情報である場合、前記設定記憶手段に記憶されている設定を前記受信された設定に更新し、前記受信された情報が設定に関する情報の送信の要求である場合、設定に関する情報を送信するように制御する制御ステップとを前記画像形成装置のコンピュータに実行させる。
【発明の効果】
【００１８】
本発明に係る画像形成システムによれば、１台の装置に設定するだけで、当該設定が、当該装置にネットワークを介して接続された他の装置に反映されることができる。
【発明を実施するための最良の形態】
【００１９】
図１は、本発明の実施形態に係る画像形成システム１を示す図である。
図１に示すように、画像形成システム１は、ネットワーク１４を介して接続された複数の画像形成装置１０−１，１０−２，…，１０−ｎ（ｎは、２以上の整数）及びサーバ１２−１，１２−２を含む。画像形成装置１０−１，１０−２，…，１０−ｎは、プリント機能、コピー機及びスキャン機能を有する例えば複合機である。なお、画像形成装置１０−１，１０−２，…，１０−ｎなど複数ある構成部分のいずれかを特定せずに示す場合には、単に画像形成装置１０などと略記することがある。
【００２０】
サーバ１２−１，１２−２は、例えば、認証サーバ機能、ファイル共有サーバ機能、Ｗｅｂサーバ機能、デフォルトゲートウェイサーバ機能等、画像形成装置１０に対して所定のサービスを提供するサーバとして動作する機能を有する。したがって、画像形成装置１０は、例えばＩＰアドレスに基づいて、サーバ１２−１，１２−２の少なくともいずれかとの間で接続を確立し、提供されるサービスを使用する。
【００２１】
図２は、本発明の実施形態に係る画像形成装置１０のハードウェア構成を示す図である。
図２に示すように、画像形成装置１０は、ＣＰＵ１０、メモリ２０、ハードディスク駆動装置等の記憶装置２２、ネットワーク１４を介してサーバ１２及び他の画像形成装置１０との間でデータの通信を行う通信装置２４、液晶ディスプレイ等の表示装置２６及びキーボード等の入力装置２８を含む。これらの構成要素は、バス１６により接続され、互いにデータの入出力を行う。なお、表示装置２６及び入力装置２８は、表示機能及び入力機能を備えたタッチパネルにより実現されてもよい。また、サーバ１２は、図２に示される構成と同等のハードウェア構成を有する。
【００２２】
図３は、本発明の実施形態に係る画像形成装置１０において更新された設定内容の反映方法の概略を示す図である。なお、図３では、画像形成装置１０が接続するサーバが、サーバ１２−１からサーバ１２−２に変更される場合を想定する。ここで、サーバ１２−１のＩＰアドレスをＤ、サーバ１２−２のＩＰアドレスをＥとする。
【００２３】
図３（Ａ）は、画像形成装置１０−１において設定情報が更新され、この設定に基づく動作確認が正常終了した場合を示す。図３（Ａ）に示すように、画像形成装置１０−１は、設定に関する情報（設定情報）を、他の画像形成装置１０−２，１０−３に対して送信する。画像形成装置１０−２，１０−３は、設定情報を受信すると、記憶されている設定情報を、受信した設定情報に更新する。
【００２４】
画像形成装置１０−１は、更新前の設定情報及び更新後の設定情報の双方を送信してもよい。この場合、画像形成装置１０−２，１０−３は、受信した更新前の設定情報と記憶されている設定情報とが一致する場合、記憶されている設定情報を、受信した更新後の設定情報に更新する。
【００２５】
一方、図３（Ｂ）は、画像形成装置１０−４の設定が更新され、この設定に基づく動作確認が正常終了しなかった場合を示す。図３（Ｂ）に示すように、画像形成装置１０−４は、他の画像形成装置１０−２，１０−３に対して、設定情報の送信を要求する。画像形成装置１０−２，１０−３の少なくともいずれかは、要求を受信すると、この要求に応じて、設定情報を画像形成装置１０−４に対して送信する。画像形成装置１０−４は、設定情報を受信すると、記憶されている設定情報を、受信した設定情報に更新する。例えば、画像形成装置１０−４が、画像形成システム１に新たに追加される場合、図３（Ｂ）に示されるようにして、動作確認済みの設定情報が、画像形成装置１０−４に送信され設定される。
【００２６】
図３（Ａ）及び図３（Ｂ）のいずれの場合においても、画像形成装置１０は、予め決められた送信先に対して、設定情報等を送信してもよい。より具体的には、画像形成装置１０は、所定のフィルタリング処理を行って、画像形成システム１に含まれる装置の中から送信先を特定する。例えば、画像形成装置１０には、送信先のホスト名、ＩＰアドレス、ドメイン名等が記憶されており、画像形成装置１０は、記憶しているホスト名等に該当する装置に対してだけ設定情報等を送信する。また例えば、画像形成装置１０には、サブネットマスクとは異なるマスクが記憶されており、画像形成装置１０は、記憶しているマスクを用いて特定されたＩＰアドレスを付与された装置に対してだけ設定情報等を送信する。
【００２７】
図４は、画像形成装置１０により実行される設定情報管理プログラム３０の機能構成を示すブロック図である。
図４示すように、設定情報管理プログラム３０は、設定情報記憶部３０２、制御部３０４、設定受付部３０６、更新部３０８、動作確認部３１０、設定送信部３１２、設定要求部３１４及び受信部３１６を有する。設定情報管理プログラム３０は、例えば通信装置２４を介して受信され、メモリ２０にロードされ、ＣＰＵ１８により実行される。なお、設定情報管理プログラム３０は、例えばＦＤ、ＣＤ、ＤＶＤ等の記録媒体から画像形成装置１０に供給されてもよい。
【００２８】
設定情報管理プログラム３０において、設定情報記憶部３０２には、設定情報が、読み書き可能に記憶されている。設定情報記憶部３０２は、メモリ２０及び記憶装置２２の少なくともいずれかにより実現される。設定情報には、例えば、所定のサービスを提供するサーバのＩＰアドレス及びホスト名、サブネットマスク、ドメイン名、管理者のユーザ名及びパスワード、並びにフィルタリング処理のための検索条件など、接続されるネットワークに関する設定が含まれる。なお、設定情報記憶部３０２には、更新前の設定情報及び更新後の設定情報が保存されていてもよいし、複数の世代の設定情報が保存されていてもよい。
【００２９】
設定受付部３０６は、入力装置２８を介して入力される設定を受け付ける。また、設定受付部３０６は、外部の端末装置を用いてＷｅｂベースで入力され送信された設定情報であって通信装置２４により受信された設定情報を受け付ける。設定受付部３０６は、受け付けた設定を、制御部３０４に対して出力する。
【００３０】
更新部３０８は、設定情報記憶部３０２に記憶されている設定を更新する。なお、更新部３０８は、設定の新規登録及び削除も行う。
【００３１】
動作確認部３１０は、更新部３０８により更新された設定に基づいて動作確認を行う。具体的には、動作確認部３１０は、制御部３０４の制御により、設定情報記憶部３０２に記憶されている設定を読み出し、この設定に基づいて動作確認を行う。例えば、動作確認部３１０は、サーバに関する情報（例えば、ＩＰアドレス等）が変更された場合、このサーバとの接続の確立を試みて、当該サーバからサービスの提供が受けられるか否かを確認する。
【００３２】
動作確認部３１０は、動作確認が正常終了したか否かの結果を、制御部３０４に対して出力する。動作確認部３１０は、例えば、サーバとの接続が確立できない、装置又はユーザが認証されない、所定のＨＴＴＰ(HyperText Transfer Protocol)エラーコードを受け付けた等の場合、動作確認が正常終了ではないと判定する。
【００３３】
設定送信部３１２は、設定情報記憶部３０２に記憶されている設定を読み出し、設定情報として通信装置２４を介して他の画像形成装置１０に対して送信する。設定送信部３１２は、更新前の設定情報及び更新後の設定情報を送信してもよい。また、設定送信部３１２は、所定のフィルタリング処理により特定された画像形成装置１０に対して送信してもよい。
【００３４】
設定要求部３１４は、設定情報の送信を要求する旨の情報を、ネットワーク１４に接続された他の装置に対して通信装置２４を介して送信（即ち、ブロードキャスト）する。設定要求部３１４は、送信した要求に応じて送信される設定情報を通信装置２４を介して受信して、制御部３０４に対して出力する。なお、設定要求部３１４は、設定情報の属性のうち更新された属性に関する情報の送信を要求してもよい。
【００３５】
受信部３１６は、送信された情報を通信装置２４を介して受信する。この情報は、他の装置から送信された設定に関する情報及び設定に関する情報の送信の要求のいずれかである。受信部３１６は、受信した情報を、制御部３０４に対して出力する。
【００３６】
制御部３０４は、設定情報管理プログラム３０の他の構成要素を制御し、これらの構成要素間のデータの入出力を行う。より具体的には、制御部３０４は、動作確認部３１０による動作確認が正常終了であった場合、設定送信部３１２が設定情報を送信し、動作確認が正常終了ではなかった場合、設定要求部３１４が設定情報の送信を要求するように制御する。また、制御部３０４は、受信部３１６により受信された情報が設定情報である場合、更新部３０８が設定情報記憶部３０２に記憶されている設定を受信部３１６により受信された設定に更新し、受信部３１６により受信された情報が設定情報の送信の要求である場合、設定送信部３１２がが設定情報を送信するように制御する。
【００３７】
図５は、本発明の実施形態に係る画像形成システム１において、設定が変更された画像形成装置１０の動作（Ｓ１０）を示すフローチャートである。
まず、ユーザが、例えば画像形成システム１に含まれる画像形成装置１０−１の入力装置２８を操作して、この画像形成装置１０−１が接続するサーバをサーバ１２−１からサーバ１２−２に変更する。
【００３８】
画像形成装置１０−１では、図５に示すように、ステップ１００（Ｓ１００）において、設定情報管理プログラム３０の設定受付部３０６が、入力された設定を受け付けて、制御部３０４に対して出力する。
ステップ１０２（Ｓ１０２）において、制御部３０４は、更新部３０８を制御して、設定情報記憶部３０２に記憶されている設定を、設定受付部３０６により受け付けられた設定に更新する。
【００３９】
ステップ１０４（Ｓ１０４）において、制御部３０４は、動作確認部３１０を制御して、新たな設定に基づいて動作確認を行い、その結果を動作確認部３１０から受け付ける。
ステップ１０６（Ｓ１０６）において、制御部３０４は、動作確認が正常終了したか否かを判定する。制御部３０４は、動作確認が正常終了した場合にはＳ１０８の処理に進み、そうでない場合にはＳ１１０の処理に進む。
【００４０】
ステップ１０８（Ｓ１０８）において、制御部３０４は、設定送信部３１２を制御して、動作確認された設定情報を、ネットワーク１４を介して画像形成装置１０−２〜１０−ｎに対して送信し、処理を終了する。
【００４１】
一方、ステップ１１０（Ｓ１１０）において、制御部３０４は、設定要求部３１４を制御して、設定情報を送信する旨の要求を、ブロードキャストする。
ステップ１１２（Ｓ１１２）において、設定要求部３１４は、当該要求に応じて画像形成装置１０−２〜１０−ｎのいずれかから送信された設定情報を受け付け、制御部３０４に対して出力する。
【００４２】
ステップ１１４（Ｓ１１４）において、制御部３０４は、更新部３０８を制御して、設定情報記憶部３０２に記憶されている設定を、設定要求部３１４により受け付けられた設定に更新し、処理を終了する。
【００４３】
図６は、本発明の実施形態に係る画像形成システム１において、設定が変更された画像形成装置１０以外の画像形成装置１０の動作（Ｓ２０）を示すフローチャートである。なお、図６では、画像形成装置１０−２が、画像形成装置１０−１から送信された情報を受信した場合を例とする。
【００４４】
図６に示すように、ステップ２００（Ｓ２００）において、設定情報管理プログラム３０の受信部３１６が、画像形成装置１０−１から送信された情報を受信して、制御部３０４に対して出力する。
ステップ２０２（Ｓ２０２）において、制御部３０４は、受信部３１６により受信された情報が更新された設定情報であるか又は設定情報の送信要求であるかを判定する。制御部３０４は、当該情報が更新された設定情報である場合にはＳ２０４の処理に進み、当該情報が設定情報の送信要求である場合にはＳ２０６の処理に進む。
【００４５】
ステップ２０４（Ｓ２０４）において、制御部３０４は、更新部３０８を制御して、設定情報記憶部３０２に記憶されている設定を、受信部３１６により受信された設定に更新し、処理を終了する。
【００４６】
一方、ステップ２０６（Ｓ２０６）において、制御部３０４は、設定送信部３１２を制御して、設定情報記憶部３０２に記憶されている設定情報を、ネットワーク１４を介して要求元（画像形成装置１０−１）に対して送信し、処理を終了する。
【図面の簡単な説明】
【００４７】
【図１】本発明の実施形態に係る画像形成システム１を示す図である。
【図２】本発明の実施形態に係る画像形成装置１０のハードウェア構成を示す図である。
【図３】本発明の実施形態に係る画像形成装置１０において更新された設定内容の反映方法の概略を示す図である。
【図４】画像形成装置１０により実行される設定情報管理プログラム３０の機能構成を示すブロック図である。
【図５】本発明の実施形態に係る画像形成システム１において、設定が変更された画像形成装置１０の動作（Ｓ１０）を示すフローチャートである。
【図６】本発明の実施形態に係る画像形成システム１において、設定が変更された画像形成装置１０以外の画像形成装置１０の動作（Ｓ２０）を示すフローチャートである。
【符号の説明】
【００４８】
１ 画像形成システム
１０ 画像形成装置
１２ サーバ
１４ ネットワーク
１８ ＣＰＵ
２０ メモリ
２２ 記憶装置
２４ 通信装置
２６ 表示装置
２８ 入力装置
３０ 設定情報管理プログラム
３０２ 設定情報記憶部
３０４ 制御部
３０６ 設定受付部
３０８ 更新部
３１０ 動作確認部
３１２ 設定送信部
３１４ 設定要求部
３１６ 受信部
【図１】
2009159048.tif 000003
【図２】
2009159048.tif 000004
【図３】
2009159048.tif 000005
【図４】
2009159048.tif 000006
【図５】
2009159048.tif 000007
【図６】
2009159048.tif 000008